(57)【要約】【課題】１ピースタイプ及び２ピースタイプのいずれのタイプとしてもユーザに供給することができるコネクタを提供する。【解決手段】ハウジング１６に、その上端に開口する第１垂直溝４４を形成し、該第１垂直溝４４内に、左右方向内側に突出する係止爪５４を有する係止部材５３を左右方向に弾性変形可能に設けた。そして、係止爪５４の下方に支持部５７を設け、カバーを、回動軸が支持部５７と係止爪５４との間に挿抜されることでハウジング１６に対して着脱可能にした。【選択図】図５
2009181811.tif 000002
【特許請求の範囲】
【請求項１】
ＩＣカードを収納する収納部を有する絶縁性のハウジングと、前記ＩＣカードに設けられた接続端子に対応して前記収納部内に配置された複数のコンタクトと、前記収納部を覆うように倒れた覆蓋姿勢と前記収納部に対して起立した起立姿勢との間を回動可能に前記ハウジングの前端に設けられるカバーと、を備えたコネクタであって、
前記ハウジングには、該ハウジングの上端に開口する垂直溝が形成され、
前記垂直溝内には、前記ハウジングの左右方向内側に突出する係止爪を有する係止部材が前記左右方向に弾性変形可能に設けられるとともに、前記係止爪の下方に前記カバーに形成された回動軸を回動可能に支持する支持部が設けられ、
前記カバーは、前記回動軸が該支持部と該係止爪との間に挿抜されることで前記ハウジングに対して着脱可能であることを特徴とするコネクタ。
【請求項２】
前記係止爪の上面は、該係止爪の基端側から先端側に向かって突出するように傾斜したテーパ状に形成され、
前記係止爪の下面は、前記カバーが着脱される方向と直交する平面状に形成されたことを特徴とする請求項１に記載のコネクタ。
【請求項３】
前記ハウジングに固定され、プリント基板上に半田付けされる半田付け部を備えたことを特徴とする請求項１又は２に記載のコネクタ。
【請求項４】
前記ハウジングの底部には、該底部の上下方向両側に開口したコンタクト保持溝が複数形成され、
前記コンタクトは、
プリント基板上に固定される基端部と、
前記基端部から上方に延びる固定部と、
前記固定部の上端から該固定部と直交する方向に延び、先端が上下方向に弾性変形可能に形成されたアーム部と、
前記アーム部の先端に形成され前記接続端子と接触する接触部と、を備え、
前記固定部が前記ハウジングの上方から前記コンタクト保持溝に圧入されることを特徴とする請求項１〜３のうちの何れか一項に記載のコネクタ。
【請求項５】
ＩＣカードを収納する収納部を有する絶縁性のハウジングと、前記ＩＣカードに設けられた接続端子に対応して前記収納部内に配置された複数のコンタクトと、前記収納部を覆うように倒れた覆蓋姿勢と前記収納部に対して起立した起立姿勢との間を回動可能に前記ハウジングに設けられるカバーと、を備えたコネクタであって、
前記カバーの前端には、該カバーの下端に開口する垂直溝がそれぞれ開口され、
前記垂直溝内には、前記カバーの左右方向内側に突出する係止爪を有する係止部材が前記左右方向に弾性変形可能に設けられるとともに、前記係止爪の上方に前記ハウジングに形成された回動軸を回動可能に支持する支持部が設けられ、
前記カバーは、前記回動軸が該支持部と該係止爪との間に挿抜されることで前記ハウジングに対して着脱可能であることを特徴とするコネクタ。
【発明の詳細な説明】
【技術分野】
【０００１】
本発明は、ＣＰＵやメモリを有するＩＣカード等を装着可能なコネクタに関する。
【背景技術】
【０００２】
従来、ＣＰＵやメモリなどを内包するＩＣカードをプリント基板などの外部回路に接続するためのコネクタがある。この種のコネクタとして、ＩＣカードを収納する収納部を有する絶縁性のハウジングと、ＩＣカードに設けられた接続端子に対応して収納部内に配置された複数のコンタクトと、ハウジングに対して収納部を覆うように倒れた覆蓋姿勢と収納部に対して起立した起立姿勢との間を回動可能に設けられたカバーとを備えたものがある（特許文献１及び２参照）
例えば、特許文献１には、カバーに形成された孔部がハウジングに形成された支軸に嵌合し、該カバーと該ハウジングとが一体にされた状態でユーザに提供される所謂１ピースタイプのコネクタが開示されている。一方、特許文献２には、カバーに形成された枢支溝内にハウジングに形成された枢支軸を挿入することで、カバーがハウジングに回動可能に取り付けられ、カバーとハウジングとが別々の状態でユーザに提供される所謂２ピースタイプのコネクタが開示されている。
【特許文献１】特開平９−２７０２７９号公報
【特許文献２】特開２００４−４７２２４号公報
【発明の開示】
【発明が解決しようとする課題】
【０００３】
ところで、１ピースタイプ及び２ピースタイプのコネクタのうち、どちらのコネクタが用いられるかは、ユーザによって異なる。そのため、１ピースタイプのコネクタを製造するための製造ラインと、２ピースタイプのコネクタを製造するための製造ラインとがそれぞれ必要になり、製造コストが増大するという問題が生じる。なお、上記特許文献１に記載のコネクタにおいて、ハウジングとカバーとを別々の状態で供給することが考えられるが、ユーザの側で孔部を支軸に嵌合させることは困難である。また、上記特許文献２に記載のコネクタにおいて、ハウジングとカバーとを一体にした状態でユーザに供給することが考えられるが、コネクタの搬送時等にハウジングからカバーが容易に外れてしまうため、１ピースタイプのコネクタとして供給することができない。
【０００４】
本発明によれば、上記課題を解決するためになされたものであって、１ピースタイプ及び２ピースタイプのいずれのタイプとしてもユーザに供給することができるコネクタを提供することにある。
【課題を解決するための手段】
【０００５】
上記課題を解決するために、請求項１に記載の発明は、ＩＣカードを収納する収納部を有する絶縁性のハウジングと、前記ＩＣカードに設けられた接続端子に対応して前記収納部内に配置された複数のコンタクトと、前記収納部を覆うように倒れた覆蓋姿勢と前記収納部に対して起立した起立姿勢との間を回動可能に前記ハウジングの前端に設けられるカバーと、を備えたコネクタであって、前記ハウジングには、該ハウジングの上端に開口する垂直溝が形成され、前記垂直溝内には、前記ハウジングの左右方向内側に突出する係止爪を有する係止部材が前記左右方向に弾性変形可能に設けられるとともに、前記係止爪の下方に前記カバーに形成された回動軸を回動可能に支持する支持部が設けられ、前記カバーは、前記回動軸が該支持部と該係止爪との間に挿抜されることで前記ハウジングに対して着脱可能である。
【０００６】
この構成によれば、ユーザが工具などを用いることなく、係止部材を弾性変形させることでカバーをハウジングに対して容易に着脱できる。また、カバーをハウジングに取り付けた状態では、係止部材によって回動軸が支持部から外れることが防止されるため、コネクタの搬送時等にハウジングからカバーが外れることを防止できる。従って、１ピースタイプ及び２ピースタイプのコネクタのいずれのコネクタとしてもユーザに供給することが可能である。そのため、１ピースタイプ及び２ピースタイプのコネクタを製造するためにそれぞれ製造ラインを設けずともよく、１つの製造ラインで１ピースタイプ及び２ピースタイプのコネクタを製造でき、それぞれ異なる製造ラインで各コネクタを製造する場合に比べ、コストの増大を抑制できる。
【０００７】
請求項２に記載の発明は、請求項１に記載のコネクタにおいて、前記係止爪の上面は、該係止爪の基端側から先端側に向かって突出するように傾斜したテーパ状に形成され、前記係止爪の下面は、前記カバーが着脱される方向と直交する平面状に形成されてなる。この構成によれば、回動軸を係止爪の上面に押し付けると、該上面がテーパ状に形成されているために係止部材が左右方向外側に弾性変形し、該回動軸を容易に係止爪と支持部との間に挿入することができる。また、下面がカバーの着脱される方向と直交する平面状に形成されているため、回動軸が係止爪と支持部との間に挿入されたカバーを引き上げても、係止部材が左右方向外側に弾性変形し難く、カバーが外れずに確実に１ピースタイプのコネクタとしてユーザに供給することができる。
【０００８】
請求項３に記載の発明は、請求項１又は２に記載のコネクタにおいて、前記ハウジングに固定され、プリント基板上に半田付けされる半田付け部を備えてなる。この構成によれば、半田付け部がプリント基板上に半田付けされることで、確実にコネクタをプリント基板上に固定できる。
【０００９】
請求項４に記載の発明は、請求項１〜３のうちの何れか一項に記載のコネクタにおいて、前記ハウジングの底部には、該底部の上下方向両側に開口したコンタクト保持溝が複数形成され、前記コンタクトは、プリント基板上に固定される基端部と、前記基端部から上方に延びる固定部と、前記固定部の上端から該固定部と直交する方向に延び、先端が上下方向に弾性変形可能に形成されたアーム部と、前記アーム部の先端に形成され前記接続端子と接触する接触部と、を備え、前記固定部が前記ハウジングの上方から前記コンタクト保持溝に圧入されてなる。この構成によれば、ＩＣカードの挿入時等にコンタクトに衝撃が加わっても、アーム部がハウジングの底部に当接することで、コンタクトがハウジングから抜けることが防止できる。
【００１０】
請求項５に記載の発明は、ＩＣカードを収納する収納部を有する絶縁性のハウジングと、前記ＩＣカードに設けられた接続端子に対応して前記収納部内に配置された複数のコンタクトと、前記収納部を覆うように倒れた覆蓋姿勢と前記収納部に対して起立した起立姿勢との間を回動可能に前記ハウジングに設けられるカバーと、を備えたコネクタであって、前記カバーには、該カバーの下端に開口する垂直溝がそれぞれ開口され、前記垂直溝内には、前記カバーの左右方向内側に突出する係止爪を有する係止部材が前記左右方向に弾性変形可能に設けられるとともに、前記係止爪の上方に前記ハウジングに形成された回動軸を回動可能に支持する支持部が設けられ、前記カバーは、前記回動軸が該支持部と該係止爪との間に挿抜されることで前記ハウジングに対して着脱可能である。この構成によれば、請求項１と同様の作用効果を得ることができる。
【発明の効果】
【００１１】
１ピースタイプ及び２ピースタイプのいずれのタイプとしてもユーザに供給することが可能なコネクタを提供することができる。
【発明を実施するための最良の形態】
【００１２】
以下、本発明を具体化した一実施形態を図面に従って説明する。
図１に示すように、コネクタ１１は、プリント基板１２上に実装されるとともに、長方形状のＩＣカード１３（例えば、小型メモリカード）が挿入されるようになっている。図２に示すように、ＩＣカード１３には、その短手方向に沿って複数（本実施形態では２２個）の接続端子１４がライン状に設けられるとともに、これらの接続端子１４が長手方向に沿って複数列（本実施形態では４列）設けられている。また、ＩＣカード１３の接続端子１４が露出した面の反対側面には、マーク１５が付されている。コネクタ１１は、絶縁性（例えば、合成樹脂）のハウジング１６と、ＩＣカード１３に接続される導電性のコンタクト１７と、ハウジング１６を覆蓋する絶縁性のカバー１８とを備えている。
【００１３】
図３に示すように、ハウジング１６は、その上部に開口部２１を有する長箱状に形成されている。詳述すると、ハウジング１６は、プリント基板１２に固定される底部としての下側壁２２を備え、その左右方向（図３における上下方向）両端には、その前後方向（図３における左右方向）に沿って右側壁２３及び左側壁２４が立設されている。また、ハウジング１６の前方（図３における右側）には、右側壁２３と左側壁２４との前方を連結するように前側壁２５が立設されるとともに、ハウジング１６の後方（図３における左側）には、右側壁２３と左側壁２４の後側端部を連結するように後側壁２６が立設されている。右側壁２３及び左側壁２４は、ハウジング１６の上下方向（図３における紙面直交方向）に沿って同じ長さ（高さ）に形成されるとともに、後側壁２６は、右側壁２３及び左側壁２４よりも低く形成されている。さらに、前側壁２５は、後側壁２６よりも低く形成されている。そして、ハウジング１６内には、右側壁２３、左側壁２４、前側壁２５及び後側壁２６に囲まれ、ＩＣカード１３を収容する収納部２７が形成されている。収納部２７には、ＩＣカード１３が上下方向と直交した状態で収納されるようになっている。
【００１４】
ハウジング１６の下側壁２２には、矩形状をなすとともに上下方向に貫通した複数（本実施形態では２つ）の貫通孔２８が前後方向に所定間隔をおいて形成されている。つまり、本実施形態のハウジング１６の下側壁２２は、前後両側を貫通孔２８に挟まれた下壁中央部２９と、後側が貫通孔２８に臨むとともに前側がハウジング１６の前側壁２５に連続する下壁前側部３０と、前側が貫通孔２８に臨むとともに後側がハウジング１６の後側壁２６に連続する下壁後側部３１とから構成されている。
【００１５】
下壁中央部２９の前後方向中央には、前後方向両端部よりも肉厚の段差部３２が左右方向に沿って形成されるとともに、下壁前側部３０及び下壁後側部３１の反貫通孔２８側には、貫通孔２８側よりも肉厚の段差部３３，３４が左右方向に沿って形成されている。そして、各段差部３２〜３４には、ＩＣカード１３の接続端子１４と対応して上方に開口したコンタクト収容溝３５が形成されている。具体的には、コンタクト収容溝３５は、段差部３２の前後方向両端部に、それぞれ上方及び前後方向両側に開口するとともに左右方向に沿って複数列（本実施形態では、２２列）形成されている。また、コンタクト収容溝３５は、各段差部３３，３４に、上方及び貫通孔２８側に開口するとともに前後方向に沿って複数列（本実施形態では、２２列）形成されている。さらに、下壁中央部２９の前後方向両端部、前側壁２５の後側端部及び下壁後側部３１の前側端部には、各コンタクト収容溝３５に対応した位置に、下側壁２２の上下方向両側に開口し、コンタクト１７を保持するコンタクト保持溝３６が形成されている。
【００１６】
そして、下壁前側部３０の前側端部には、左右方向に所定間隔を空けて配置された２つの突部からなる保持突部３７が形成されるとともに、これら突部の対向面には上方に開口する保持溝３８が形成されている。また、前側壁２５の左右方向両端部には、左右方向に沿ったスリット３９が形成されている。
【００１７】
右側壁２３における左側壁２４の対向面、左側壁２４における右側壁２３の対向面には、第１案内溝４１及び複数対（本実施形態では、２対）の第２案内溝４２，４３がそれぞれ形成されている。本実施形態では、第２案内溝４２，４３は、右側壁２３及び左側壁２４の前後方向における同位置に形成されるとともに、第１案内溝４１及び第２案内溝４２，４３は、右側壁２３及び左側壁２４に対称な形状で形成されているため、右側壁２３についてのみ詳細に説明する。
【００１８】
図４に示すように、第１案内溝４１は、右側壁２３の上面に開口し上下方向に沿った第１垂直溝４４と、該第１垂直溝４４に連続するとともに後方に向かうにつれてハウジング１６の下方に向かって延びる第１傾斜溝４５と、該第１傾斜溝４５の後側端部に連続するとともに前後方向に延びる第１水平溝４６とを備えている。また、第２案内溝４２，４３は、右側壁２３の上面に開口し上下方向に沿った第２垂直溝４７，４８と、該各第２垂直溝４７，４８の後側端部にそれぞれ連続し第１傾斜溝４５と同じ角度の第２傾斜溝４９，５０と、該各第２傾斜溝４９，５０にそれぞれ連続し前後方向に延びる第２水平溝５１，５２とを備えている。なお、第１水平溝４６、第２傾斜溝４９，５０及び第２水平溝５１，５２はハウジング１６の下方に開口して形成されている。
【００１９】
第１案内溝４１の第１垂直溝４４は、前側壁２５の前側端部よりも前方に位置し、上方に開口するとともに上下方向に沿った凹形状に形成されている。そして、第１垂直溝４４内には柱状の係止部材５３が立設されている。図５に示すように、係止部材５３は、第１垂直溝４４内で左右方向に弾性変形可能に立設されるとともに、係止部材５３の上部には、左側壁２４側に向かって突出した係止爪５４が形成されている。本実施形態では、係止爪５４の上面５５は、その基端側（係止部材５３側）から先端側（反係止部材５３側）に向かうにつれて突出するように傾斜したテーパ状に形成されるとともに、下面５６は、カバーが着脱される方向（上下方向）と直交する平面状に形成されて、先端が尖状になっている。また、係止爪５４の下方には、右側壁２３の略中央までの高さに形成された支持部５７が形成されている。さらに、支持部５７の左側壁２４側には、前後方向に所定間隔を空けて配置された突部からなる収容突部５８が形成されるとともに、これら突部の対向面には上下方向に開口する収容溝５９が形成されている。
【００２０】
また、図４に示すように、挿入部としての第２垂直溝４７は、上方に開口するとともに右側壁２３の上下方向における略中央部まで延びる凹形状に形成されている。即ち、第２垂直溝４７の下側端部には、前側の方が高い段付き形状に形成された支持壁６０が形成されている。一方、挿入部としての第２垂直溝４８は、上方に開口するとともに上下方向に沿った凹形状に形成されている。第２垂直溝４８内には、係止部材６１が立設されている。図６に示すように、係止部材６１は、第２垂直溝４８内で左右方向に弾性変形可能に立設されるとともに、係止部材６１の上部には、左側壁２４側に向かって突出した係止爪６２が形成されている。本実施形態では、係止爪６２の上面６３及び下面６４は、その基端側（係止部材６０側）から先端側（反係止部材６０側）に向かうにつれて突出するように傾斜したテーパ状に形成されて、先端が尖状になっている。また、係止爪６２の下方には、右側壁２３の略中央までの高さの支持壁６５が形成されている。支持壁６５の上端は、前側の方が高い段付き形状に形成されている。さらに、右側壁２３及び左側壁２４の上端には、第１案内溝４１と第２案内溝４２との間、及び第２案内溝４２と第２案内溝４３との間に前後方向に沿った凹部６６がそれぞれ形成されている。
【００２１】
ハウジング１６には、図７に示すような補助金具７１が固定される。補助金具７１は、例えばプレス加工により打ち抜かれた鋼板を曲げ加工することで形成されている。詳述すると、図８に示すように、補助金具７１は、右側壁２３及び左側壁２４の前側端部間に配置され、長方形状に形成された固定部７２が前側壁２５の前側端部に設けられた保持溝３８に圧入されている。そして、図８及び図９に示すように、固定部７２には、その上端にロック機構７３が形成されるとともに、その下端に軸受け機構７４が形成されている。
【００２２】
ロック機構７３は、固定部７２の上端から後方に延びハウジング１６の左右方向中央に固定されたロック支持部７５を備え、該ロック支持部７５には、その左右方向両端部からそれぞれハウジング１６の左右方向端部側に延び、カバー１８の移動により上下方向に弾性変形可能なロックアーム７６が形成されている。本実施形態では、ロックアーム７６は、ロック支持部７５の左右方向両端部からそれぞれハウジング１６の左右方向端部側に向かうにつれて上方に傾斜する傾斜部７７ａと、傾斜部７７ａの先端部の後側に上方に延びてから後方に折り曲げられて形成されたロック爪７７ｂとから構成されている。ロック爪７７ｂの前側端部は、折り曲げられることでその断面が略円弧状になっている。また、ロックアーム７６（傾斜部７７ａ）の先端部には、該先端部の前側から下方に折り曲げられて前側壁２５の上端に形成されたスリット３９に挿入される補強部７８が形成されている。さらに、ロック支持部７５の後端には、上方に延びてから後方に折り曲げられ、収納部２７内に配置される位置合わせ部７９が形成されている。この位置合わせ部７９により、収納部２７の前後方向の長さが規定されてＩＣカード１３が収納部２７内の所定位置に収容されるようになっている。
【００２３】
軸受け機構７４は、固定部７２の下端から水平方向前側に延びてプリント基板１２上に半田付けされる半田付け部としての軸受け支持部８０を備えている。ハウジング１６の左右方向中央に固定された軸受け支持部８０には、その左右方向両端部からそれぞれハウジング１６の左右方向端部側に延びる軸受けアーム８１が形成されている。本実施形態では、軸受けアーム８１は、軸受け支持部８０の左右方向両端部からそれぞれ上方に延びる直立部８２ａと、直立部８２ａの先端からそれぞれハウジング１６の左右方向端部側に延びる水平部８２ｂとから構成されている。また、軸受けアーム８１（水平部８２ｂ）の先端部には上方に向かって延びる軸受け部８３が形成されるとともに、各軸受け部８３は収容溝５９に上下動可能に挿入されている。そして、図１０に示すように、軸受け部８３の上端は略円弧状に形成されており、第１傾斜溝４５側に向かうほど高くなる規制突部８４が形成されている。
【００２４】
次に、コンタクト１７について説明する。
コンタクト１７は、例えばプレス加工により打ち抜かれた鋼板を曲げ加工することにより形成されている。具体的には、図１１及び図１２に示すように、コンタクト１７は、プリント基板１２上の図示しないパターンに半田付け処理される基端部９１と、基端部９１から上方に延びる固定部９２と、固定部９２の上端から該固定部９２と直交する方向に延びるアーム部９３と、アーム部９３の先端に形成され接触部９４とを備えている。アーム部９３は、固定部９２と直交する方向に延びてから略Ｕ字上に折り返されて斜め上方に延び、その先端が上下方向に弾性変形可能に形成されている。また、接触部９４は、上方に向かって凸な円弧状に形成されている。
【００２５】
各コンタクト１７は、図１３に示すように、固定部９２が上方からコンタクト保持溝３６に圧入されることで、アーム部９３がコンタクト収容溝３５に収容されるとともに、接触部９４が段差部３２〜３４の上面よりも上方に位置し、収納部２７内に収納されたＩＣカード１３に圧接するようになっている。また、各コンタクト１７は、基端部９１が下側壁２２の下方に突出し、プリント基板１２上に半田付けされるようになっている。
【００２６】
次に、カバー１８について説明する。
カバー１８は、図１に示すように、カバー１８が立った状態で下側に位置する前側枠１０１及び上側に位置する後側枠１０２と、これらの両端で該前側枠１０１と該後側枠１０２を連結する右側枠１０３及び左側枠１０４とからなる矩形枠状に形成されている。図１４に示すように、前側枠１０１の底面には、カバー１８の左右方向（図１４における上下方向）に沿った突条１０５が形成されるとともに、該前側枠１０１の中央にはカバー１８の前後方向（図１４における左右方向）に沿った溝部１０６が形成されている。また、後側枠１０２の後側端部には、凹部１０７が形成されている。
【００２７】
前側枠１０１の左右方向両端部には、第１案内溝４１の第１垂直溝４４に挿入される略円柱形状の回動軸１０８が突設されている。また、右側枠１０３及び左側枠１０４の中央部外側には、回動軸１０８と平行に第２案内溝４２に挿入されるガイドリブ１０９が突設されるとともに、後側枠１０２の左右方向両端部に第２案内溝４３に挿入されるガイドリブ１１０が形成されている。さらに、右側枠１０３及び左側枠１０４の左右方向外側には、凹部６６に対応した形状の突部１１１が形成されている。
【００２８】
カバー１８をハウジング１６に取り付ける際には、回動軸１０８を係止爪５４の上面に押し付けると、該上面５５がテーパ状に形成されているために係止部材５３が左右方向外側に弾性変形し、該回動軸１０８が第１垂直溝４４に挿入されて係止爪５４と支持部５７との間に挿入されるようになっている。また、係止爪５４と支持部５７との間に挿入されたカバー１８引き上げても、下面５６が上下方向と直交する面に形成されているため、係止部材５３が左右方向外側に弾性変形し難く、カバー１８が外れ難い。
【００２９】
回動軸１０８が係止爪５４と支持部５７との間に挿入された状態では、係止部材５３が元の位置に戻り、回動軸１０８が支持部５７上に回動可能に支持されるようになっている。図１５に示すように、この状態でカバー１８は、回動軸１０８を通る軸線を中心に回動変位するようになっている。なお、図１５の実線で示すように、カバー１８が収納部２７に対して起立した状態を起立姿勢といい、図１５の二点鎖線で示すようにカバー１８が収納部２７を覆うように倒れた状態を覆蓋姿勢という。そして、本実施形態では、カバー１８は、ハウジング１６の上下方向と直交した状態で第１案内溝４１及び第２案内溝４２，４３に沿って移動するようになっている。
【００３０】
また、カバー１８が回動して覆蓋姿勢になる際には、ガイドリブ１０９が第２案内溝４２に挿入されるとともに、ガイドリブ１１０が第２案内溝４３に挿入されるようになっている。ガイドリブ１１０が第２案内溝４３に挿入される際に、上記回動軸１０８と同様に、ガイドリブ１１０を係止爪６２に押し付けると、上面６３がテーパ状に形成されているために係止部材６１が左右方向外側に弾性変形し、該ガイドリブ１１０が第２垂直溝４８に挿入されて係止爪６２と支持壁６５との間に挿入されるようになっている。そして、ガイドリブ１１０が係止爪６２と支持壁６５との間に位置した状態では、係止部材６１が元の位置に戻り、例えばコンタクトの弾性力などによってカバー１８が回動することを防止するようになっている。また、カバー１８を回動させる際には、ガイドリブ１１０を係止爪６２に押し付けると、下面６４がテーパ状に形成されているために係止部材６１が左右方向外側に弾性変形することで容易にカバー１８を回動させることができる。
【００３１】
このように、回動軸１０８が係止部材５３に係止されるため、コネクタ１１の搬送時等にハウジング１６からカバー１８が外れず、カバー１８とハウジング１６とが一体にされた状態でユーザに提供される所謂１ピースタイプのコネクタとしてユーザに供給できる。また、工具等を用いずとも係止部材５３を弾性変形させることでカバー１８をハウジング１６に取り付けることができるため、カバー１８とハウジング１６とが別々の状態でユーザに提供される所謂２ピースタイプのコネクタとしてユーザに供給できる。従って、１ピースタイプ及び２ピースタイプのコネクタを製造するためにそれぞれ製造ラインを設けずともよく、１つの製造ラインで１ピースタイプ及び２ピースタイプのコネクタを製造でき、それぞれ異なる製造ラインで各コネクタを製造する場合に比べ、コストの増大を抑制できる。
【００３２】
これらのコネクタの製造方法は、図１６（ａ）に示すように、コンタクト１７が装着されたハウジング１６に補助金具７１を取り付けることで、図１６（ｂ）に示すように、２ピースタイプのコネクタが製造される。そして、カバー１８をハウジング１６に取り付けることで、図１６（ｃ）に示すように、１ピースタイプのコネクタが製造される。
【００３３】
次に、コネクタ１１へのＩＣカード１３の装着について説明する。
ＩＣカード１３をコネクタ１１に装着するに際して、１ピースタイプのコネクタ１１の場合には、覆蓋姿勢のカバー１８を回動させ、起立姿勢にする。このとき、前側枠１０１には凹部１０７が形成されているため、例えば指（図示略）を引っ掛けやすく、覆蓋姿勢のカバー１８を容易に回動させることができる。一方、２ピースタイプのコネクタ１１の場合には、カバー１８の回動軸１０８を第１案内溝４１内に挿入し、起立姿勢にする。なお、以下の手順は１ピースタイプ及び２ピースタイプともに同様の作業手順となる。
【００３４】
次に、図１７（ａ）に示すように、ＩＣカード１３を、そのマーク１５の付された面が上面となるようにして、ハウジング１６の上方から開口部２１を介して収納部２７内に挿入する。このとき、補助金具７１の位置合わせ部７９により、ＩＣカード１３が収納部２７内における所定位置に配置され、該ＩＣカード１３の下面に形成された各接続端子１４と各コンタクト１７の接触部９４が個別に接触する。続いて、図１７（ｂ）に示すように、カバー１８を回動させて起立姿勢から覆蓋姿勢にし、各ガイドリブ１０９，１１０をそれぞれ対応する第２案内溝４２，４３に挿入する。なお、回動軸１０８が係止爪５４と軸受け部８３との間に挿入されたカバー１８の位置を回動位置といい、本実施形態では、この状態でカバー１８がＩＣカード１３に当接しないようになっている。
【００３５】
そして、図１７（ｃ）に示すように、カバー１８を後方に移動させ、該カバー１８の移動がロックアーム７６（ロック爪７７ｂ）により規制されるロック位置までカバー１８を後方に移動させて、ＩＣカード１３を保持する。この際に、回動位置からカバー１８を後方へ移動させようとすると、回動軸１０８が支持部５７の上方に突出した規制突部８４に引っ掛かる。本実施形態では、軸受け部８３の上端は略円弧状に形成されているため、カバー１８は軸受け部８３に下方への押圧力を付与することになる。そして、カバー１８を軸受けアーム８１のばね力に抗して後方に移動すると、軸受け部８３が収容溝５９に沿って下方に移動し、回動軸１０８が第１傾斜溝４５内に、ガイドリブ１０９，１１０が第２傾斜溝４９，５０内に移動する。このように、軸受け部８３を下方に押し下げることで、カバー１８が回動位置から移動する際に操作感（クリック感）を得ることができる。
【００３６】
続いて、カバー１８を後方へ移動させると、カバー１８が後方に進むにつれてハウジングの下方へ移動し、前側枠１０１に形成された突条１０５がロック爪７７ｂに引っ掛かる。ロック爪７７ｂの前側端部はその断面が略円弧状に形成されているため、カバー１８がハウジング１６の後方に進むにつれて、突条１０５はロック爪７７ｂに下方への押圧力を付与することになる。そして、カバー１８をロックアーム７６のばね力に抗して後方に移動すると、補強部７８がスリット３９に沿って下方に移動するとともにロック爪７７ｂが突条１０５よりも下方へ移動する。そして、回動軸１０８が第１水平溝４６に到達するとともにガイドリブ１０９，１１０が第２水平溝５１，５２に到達する（カバー１８がロック位置に移動する）と、ロック爪７７ｂの下方への押圧力が解消され、図１８に示すように、ロック爪７７ｂが元の位置に戻って突条１０５の前側端部に係止する。また、カバー１８がロック位置に移動すると、ＩＣカード１３は、下側への移動が停止し、図１９に示すように、各接続端子１４と各コンタクト１７とが所定の接触圧で接触した状態で、収納部２７内に保持される。この状態で、カバー１８はコンタクト１７の弾性力によって上方へ付勢されるが、回動軸１０８が第１水平溝４６に挿入されるとともに、各ガイドリブ１０９，１１０が第２水平溝５１，５２に挿入されているため、カバー１８の移動を規制することができる。従って、確実にＩＣカード１３をハウジング１６の下方に押し付けた状態で保持することができる。なお、第１水平溝４６及び第２水平溝５１，５２が下方に開口しているが、突部１１１が凹部６６に係止することで、ロック位置にあるカバー１８が下方に移動しないようになっている。
【００３７】
また、カバー１８を回動位置からロック位置に移動させることで、図２０に示すように、コンタクト１７が弾性変形し、接触部９４が前後方向に移動量Ｌだけ移動する。本実施形態では、カバー１８が上下方向と直交する状態で第１案内溝４１及び第２案内溝４２，４３に沿って移動する。そのため、ＩＣカード１３がカバー１８の全面と同時に接触し、ＩＣカード１３がすべてのコンタクト１７と接触した状態で下方に押し付けられる。従って、従来のように回動時にカバーがＩＣカードの一部のみに接触しＩＣカード１３が一部のコンタクト１７のみに接触した状態で下方に押し付けられることが防止できる。さらに、回動位置にあるカバー１８がＩＣカード１３に当接しないため、各コンタクト１７は、各接続端子１４に対して接触部９４の移動量Ｌだけ確実に摺動する。そのため、接触部９４が接続端子１４に摺動することでコンタクト１７と接続端子１４間に介在する塵等の異物を除去する所謂ワイピングがＩＣカード１３の全端子について十分に行われ、ＩＣカード１３の接触不良を防止することができる。
【００３８】
次に、コネクタ１１からのＩＣカード１３の取り外しについて説明する。
先ず、例えばピンセットなどの工具によって、ロックアーム７６（ロック爪７７ｂ）を後側枠１０２に形成された突条１０５よりも下方に移動させた状態で、カバー１８を前方へ移動させ、カバー１８を回動位置に位置させる。そして、カバー１８を起立姿勢に起動させてＩＣカード１３を収納部２７から取り出す。このとき、軸受け部８３によって、カバー１８を回動位置に位置する際に操作感を得ることができるため、カバー１８が回動位置にない状態で、カバー１８を回動させようとしてコネクタ１１が損傷することを防止できる。
【００３９】
以上記述したように、本実施形態によれば、以下の効果を奏する。
（１）ハウジング１６に、その上端に開口する第１垂直溝４４を形成し、該第１垂直溝４４内に、左右方向内側に突出する係止爪５４を有する係止部材５３を左右方向に弾性変形可能に設けた。そして、係止爪５４の下方に支持部５７を設け、カバー１８を、回動軸１０８が支持部５７と係止爪５４との間に挿抜されることでハウジング１６に対して着脱可能にした。そのため、１ピースタイプ及び２ピースタイプのコネクタのうちのいずれのコネクタとしてもユーザに供給することが可能である。従って、１ピースタイプ及び２ピースタイプのコネクタを製造するためにそれぞれ製造ラインを設けずともよく、１つの製造ラインで１ピースタイプ及び２ピースタイプのコネクタを製造でき、それぞれ異なる製造ラインで各コネクタを製造する場合に比べ、コストの増大を抑制できる。
【００４０】
（２）ハウジング１６に、支持部５７と連続し該支持部５７から該ハウジング１６の後方に向かうにつれて下方に向かって延びる第１傾斜溝４５と、該第１傾斜溝４５と連続しハウジング１６の前後方向に延びる第１水平溝４６とを有する第１案内溝４１を形成した。また、ハウジング１６の上部に開口する第２垂直溝４７，４８と、第２垂直溝４７，４８と連続し該第２垂直溝４７，４８から該ハウジング１６の後方に向かうにつれて下方に向かって延びる第２傾斜溝４９，５０と、該第２傾斜溝４９，５０と連続し前後方向に延びる第２水平溝５１，５２とを有する第２案内溝４２，４３を形成した。そして、カバー１８が覆蓋姿勢の状態で第２垂直溝４７，４８にそれぞれ挿入されるガイドリブ１０９，１１０を形成し、該カバー１８を第１案内溝４１及び第２案内溝４２，４３に沿って移動可能にハウジング１６に設けた。このように、第１水平溝４６及び第２水平溝５１，５２内にそれぞれ挿入される回動１０８軸及びガイドリブ１０９，１１０によってカバー１８が回動することが規制され、各コンタクト１７の弾性力に抗してＩＣカード１３を保持するため、確実にＩＣカード１３をハウジング１６の下方に押し付けた状態で保持することができる。
【００４１】
（３）カバー１８が上下方向と直交する状態で第１案内溝４１及び第２案内溝４２，４３に沿って移動し、収納部２７にＩＣカード１３が上下方向と直交した状態で収納されるようにした。そのため、ＩＣカード１３がカバー１８の全面と同時に接触し、ＩＣカード１３がすべてのコンタクト１７と接触した状態で下方に押し付けられる。従って、従来のように回動時にカバー１８がＩＣカード１３の一部のみに接触してＩＣカード１３が傾動することが防止でき、ＩＣカード１３の各接続端子１４が各コンタクト１７にそれぞれ接触した状態でＩＣカード１３が下方に押し付けられる。そのため、コンタクト１７の接触部９４が接続端子１４に摺動することでコンタクト１７と接続端子１４間に介在する塵等の異物を除去する所謂ワイピングがＩＣカード１３の全端子について行われ、ＩＣカード１３の接触不良を防止することができる。
【００４２】
（４）カバー１８が第１傾斜溝４５及び第２傾斜溝４９，５０側に移動することを規制するロック機構７３を備えた。設置場所によってはコネクタ１１に対して恒常的に振動が伝達される場合があり、この振動等によって回動軸１０８及びガイドリブ１０９，１１０が第１水平溝４６及び第２水平溝５１，５２から第１傾斜溝４５及び第２傾斜溝４９，５０側に移動し、ＩＣカード１３を保持できなくなる場合がある。この点、本実施形態によれば、回動軸１０８及びガイドリブ１０９，１１０が第１水平溝４６及び第２水平溝５１，５２から第１傾斜溝４５及び第２傾斜溝４９，５０側に移動することがロック機構７３により規制されるため、振動などによりカバー１８が移動してＩＣカード１３が保持できなくなることを防止できる。また、ロック機構７３は、カバー１８の後方への移動を規制するため、コンタクト１７の弾性力が作用せず、長期に亘って使用しても損傷し難く、確実にカバー１８の移動を規制できる。
【００４３】
（５）ロック機構７３は鋼板により形成され、ロック支持部７５と、ロック支持部７５の左右方向両端部からそれぞれハウジング１６の左右方向端部側に延び、カバー１８の移動により上下方向に弾性変形可能なロックアーム７６とを備える。そのため、例えば樹脂材料によりロック機構７３を形成した場合に比べ、ロックアーム７６が繰り返し弾性変形しても破損し難く強度を向上させることができる。
【００４４】
（６）ハウジング１６にスリット３９を形成し、ロックアーム７６の先端部に、該先端部の前側から下方に向かって延びスリット３９に挿入される補強部７８を形成したため、ロックアーム７６が前後方向に変形し難く、カバー１８を確実にロックすることができる。
【００４５】
（７）軸受け支持部８０がプリント基板１２上に半田付けされるため、確実にコネクタ１１をプリント基板１２上に固定できる。
（８）支持部５７には、該支持部５７における第１傾斜溝４５側にて上方に突出し、回動軸１０８の移動によって上下方向に移動可能な規制突部８４を有する軸受け機構７４を設けた。そのため、回動軸１０８が支持部５７と第１傾斜溝４５との間を移動する際に操作感（クリック感）が生じ、回動軸１０８が支持部５７に挿入された状態か又は第１傾斜溝４５に挿入された状態かを容易に把握することができる。これにより、例えば、回動軸１０８が第１傾斜溝４５に挿入された状態、即ちガイドリブ１０９，１１０が第２傾斜溝４９，５０に挿入された状態でカバー１８を回動させようとする等の誤操作を防止できる。
【００４６】
（９）軸受け機構７４は鋼板により形成され、８０軸受け支持部と、軸受け支持部８０の左右方向両端部からそれぞれハウジング１６の左右方向端部側に延び弾性変形可能な軸受けアーム８１とを備える。軸受けアーム８１は、軸受け支持部８０の左右方向両端部からそれぞれ上方に延びる直立部８２ａと、直立部８２ａの先端からそれぞれハウジング１６の左右方向端部側に延びる水平部８２ｂとから構成されている。さらに、軸受けアーム８１（水平部８２ｂ）の先端部からそれぞれ上方に延びるとともに支持部５７に配置され、上端に規制突部８４が形成された軸受け部８３とを備える。そのため、例えば樹脂材料により軸受け機構７４を形成した場合に比べ、軸受けアーム８１が繰り返し弾性変形しても破損し難く強度を向上させることができる。
【００４７】
（１０）半田付け部（軸受け支持部８０）、ロック機構７３及び軸受け機構７４が補助金具７１により一体形成されてなるため、これらそれぞれ別部材により形成する場合に比べ、部品点数を削減できる。また、軸受けアーム８１が直立部８２ａの上端に形成されているため、軸受けアーム８１が弾性変形しても、プリント基板１２に接触することを防止できる。
【００４８】
（１１）下側壁２２に、該下側壁２２の上下方向両側に開口したコンタクト保持溝３６を複数形成した。また、コンタクト１７は、プリント基板１２上に固定される基端部９１と、基端部９１から上方に延びる固定部９２と、固定部９２の上端から該固定部９２と直交する方向に延び、先端が上下方向に弾性変形可能に形成されたアーム部９３と、アーム部９３の先端に形成された接触部９４とを備える。そして、固定部９２をハウジング１６の上方からコンタクト保持溝３６に圧入した。そのため、ＩＣカード１３の挿入時等にコンタクト１７に衝撃が加わっても、アーム部９３が下側壁２２に当接することで、コンタクト１７がハウジング１６から抜けることが防止できる。
【００４９】
（１２）第２垂直溝４８内には、左右方向内側に突出する係止爪６２を有する係止部材６１を左右方向に弾性変形可能に設けるとともに、係止爪６２の下方に支持壁６５を設け、ガイドリブ１１０が支持壁６５と係止爪６２との間に挿入されるようになっている。そのため、カバー１８を覆蓋姿勢にした状態でガイドリブ１１０が支持壁６５と係止爪６２との間に挿入されるため、例えばコンタクト１７の弾性力などによってカバー１８が回動することを防止できる。そのため、ＩＣカード１３の装着時にカバー１８が意図せず回動することを防止でき、その作業性を向上させることができる。
【００５０】
（１３）係止爪５４の上面５５をテーパ状に形成し、下面５６をカバー１８の着脱される方向と直交する平面状に形成した。そのため、回動軸１０８を係止爪５４の上面５５に押し付けると、係止部材５３が左右方向外側に弾性変形し、該回動軸１０８が第１垂直溝４４に挿入されて係止爪５４と支持部５７との間に挿入することができる。また、回動軸１０８が係止爪５４と支持部５７との間に挿入されたカバー１８を引き上げても、係止部材５３が左右方向外側に弾性変形し難く、カバー１８が外れずに確実に１ピースタイプのコネクタとしてユーザに供給することができる。
【００５１】
（１４）係止爪６２の上面６３及び下面６４をテーパ状に形成したため、ガイドリブ１１０を係止爪６２の上面６３に押し付けると、係止部材６１が左右方向外側に弾性変形し、該ガイドリブ１１０が第２垂直溝４８に挿入されて係止爪６２と支持壁６５との間に挿入することができる。また、ガイドリブ１１０が係止爪６２と支持壁６５との間に挿入された状態でカバー１８を回動させると、係止部材６１が左右方向外側に弾性変形してカバー１８を回動させることができる。
【００５２】
（１５）回動位置にあるカバー１８がＩＣカード１３に当接しないようにしたため、各コンタクト１７は、各接続端子１４に対して接触部９４の移動量Ｌだけ確実に摺動し、ワイピングを十分に行うことができる。
【００５３】
（１６）前側枠１０１に凹部１０７を形成したため、例えば指（図示略）を引っ掛けやすく、覆蓋姿勢のカバー１８を容易に回動させることができる。
（１７）ロックアーム７６は、ロック支持部７５の左右方向両端部からそれぞれハウジング１６の左右方向端部側に向かうにつれて上方に傾斜する傾斜部７７ａと、傾斜部７７ａの先端部の後側に上方に延びてから後方に折り曲げられて形成されたロック爪７７ｂとから構成されている。従って、ロックアーム７６は、ロック爪７７ｂがカバー１８（突条１０５）に係止することで、カバー１８に確実に係止することができる。
【００５４】
なお、本発明の実施形態は、以下のように変更してもよい。
・上記実施形態では、カバー１８に２対のガイドリブ１０９，１１０を形成したが、これに限らず、ガイドリブは一対でもよく、また三対以上形成してよい。なお、これに応じた数の第２案内溝をハウジング１６に形成する。
【００５５】
・上記実施形態では、カバー１８が回動位置に位置する状態で、該カバー１８と収納部２７に収容されたＩＣカード１３と当接しないよう第１案内溝４１を形成したが、これに限らず、カバー１８とＩＣカード１３とが当接するようにしてもよい。
【００５６】
・上記実施形態では、ロック機構７３は、ロック支持部７５と、ロックアーム７６と、ロックアーム７６と備えたが、これに限らず、カバー１８が第１傾斜溝４５及び第２傾斜溝４９，５０側に向かって移動することを規制できれば、どのように構成してもよい。例えばロックアーム７６はロック爪７７ｂを有さずともよく、傾斜部７７ａがカバー１８に係止するようにしてもよい。また、ロックアーム７６を、軸受けアーム８１のように、直立部と水平部とから構成してもよい。
【００５７】
・上記実施形態では、軸受け機構７４は、軸受け支持部８０と、軸受けアーム８１と、軸受け部８３と、規制突部８４とを備えたが、回動軸１０８を移動により規制突部８４が上下方向に移動すれば、どのように構成してもよい。例えば、水平部８２ｂをハウジング１６の左右方向端部側に向かうにつれて上方に傾斜するように形成してもよい。また、軸受け支持部８０をプリント基板１２に固定せず、軸受け支持部８０をプリント基板１２から宙に浮いた状態にした場合には、直立部８２ａを省略し軸受けアーム８１を水平部８２ｂのみから構成してもよい。このように、軸受け支持部８０は、プリント基板１２上に固定されず、プリント基板１２から宙に浮いた状態としてもよい。
【００５８】
・上記実施形態では、軸受け支持部８０をプリント基板１２上に半田付けしたが、これに限らず、ロック支持部７５をプリント基板１２上に半田付けするようにしてもよい。また、ロック支持部７５及び軸受け支持部８０以外にハウジング１６に固定され、プリント基板１２上に半田付けされる半田付け部を独立して設けてもよい。
【００５９】
・上記実施形態では、第２垂直溝４８内に係止部材６１を設けたが、これに限らず、係止部材６１を設けずに第２垂直溝４７と同様に形成してもよい。また、第２垂直溝４７内に係止部材を設けて第２垂直溝４８と同様に形成してもよい。
【００６０】
・上記実施形態では、カバー１８が上下方向と直交した状態で第１案内溝４１及び第２案内溝４２，４３に沿って移動するようにしたが、これに限らず、上下方向と傾斜した状態で第１案内溝４１及び第２案内溝４２，４３に沿って移動するようにしてもよい。
【００６１】
・上記実施形態では、ハウジング１６の右側壁２３及び左側壁２４に第１案内溝４１及び第２案内溝４２，４３を形成したが、これに限らず、カバー１８の右側枠１０３及び左側枠１０４に第１及び第２案内溝を形成してもよい。なお、この場合には、第１案内溝は、ハウジングの前方に形成された回動軸を回動可能に支持する支持部と、該支持部と連続しカバーの後方に向かうにつれて上方に向かって延びる第１傾斜溝と、該第１傾斜溝と連続しハウジングの前後方向に延びる第１水平溝とを有して構成される。また、第２案内溝は、カバーの下端に開口する挿入部と、該挿入部と連続しカバーの後方に向かうにつれて上方に向かって延びる第２傾斜溝と、該第２傾斜溝と連続しハウジングの前後方向に延びる第２水平溝とを有して構成される。さらに、右側壁及び左側壁と収納部との間に間隔を空けることで、ハウジングに形成される回動軸及びガイドリブが収納部内に突出しないようにすることが好ましい。
【００６２】
そして、カバー１８の右側枠１０３及び左側枠１０４に第１及び第２案内溝を形成した場合に、右側枠及び左側枠にカバーの下方に開口する垂直溝を形成し、該垂直溝内に係止爪を有する係止部材を左右方向に弾性変形可能に設けるとともに、係止爪の上方にハウジングに形成された回動軸を回動可能に支持する支持部が設けてもよい。
【００６３】
・上記実施形態では、カバー１８にガイドリブ１０９，１１０を形成するとともにハウジング１６に第２案内溝４２，４３を形成したが、これに限らず、ガイドリブ１０９，１１０及び第２案内溝４２，４３を形成しなくともよい。この場合には、カバーがコンタクトの弾性力によって意図せず回動しないように、カバーの回動を規制する規制部材を設けることが好ましい。
【００６４】
・上記実施形態では、ハウジング１６に第１案内溝４１及び第２案内溝４２，４３を形成し、カバー１８を第１案内溝４１及び第２案内溝４２，４３に沿って移動するようにしたが、これに限らず、カバー１８がハウジング１６に対して相対移動しないようにしてもよい。
【図面の簡単な説明】
【００６５】
【図１】プリント基板上に実装されたコネクタの斜視図。
【図２】ＩＣカードの底面図。
【図３】ハウジングの平面図。
【図４】図３のＡ−Ａ線断面図。
【図５】図３のＢ−Ｂ線断面図。
【図６】図３のＣ−Ｃ線断面図。
【図７】補助金具の斜視図。
【図８】補助金具が設けられたハウジングの正面図。
【図９】補助金具が設けられたハウジングの一部平面図。
【図１０】図９のＤ−Ｄ線断面図。
【図１１】コンタクトの斜視図。
【図１２】コンタクトの右側面図。
【図１３】コンタクトが設けられたコネクタの一部断面図。
【図１４】カバーの底面図。
【図１５】カバーの回動状態を示す動作説明図。
【図１６】（ａ）〜（ｃ）コネクタの製造手順を示す説明図。
【図１７】（ａ）〜（ｃ）ＩＣカードの装着手順を示す動作説明図。
【図１８】ロック状態を示すコネクタの正面図。
【図１９】ＩＣカードを装着した後のコネクタの一部断面図。
【図２０】コンタクトの弾性変形を示す模式図。
【符号の説明】
【００６６】
１１…コネクタ、１２…プリント基板、１３…ＩＣカード、１４…接続端子、１６…ハウジング、１７…コンタクト、１８…カバー、２７…収納部、３５…コンタクト収容溝、５３…係止部材、５４…係止爪、５５…上面、５６…下面、５７…支持部、９２…固定部、９１…基端部、９３…アーム部、９４…接触部、１０８…回動軸。
【図１】
2009181811.tif 000003
【図２】
2009181811.tif 000004
【図３】
2009181811.tif 000005
【図４】
2009181811.tif 000006
【図５】
2009181811.tif 000007
【図６】
2009181811.tif 000008
【図７】
2009181811.tif 000009
【図８】
2009181811.tif 000010
【図９】
2009181811.tif 000011
【図１０】
2009181811.tif 000012
【図１１】
2009181811.tif 000013
【図１２】
2009181811.tif 000014
【図１３】
2009181811.tif 000015
【図１４】
2009181811.tif 000016
【図１５】
2009181811.tif 000017
【図１６】
2009181811.tif 000018
【図１７】
2009181811.tif 000019
【図１８】
2009181811.tif 000020
【図１９】
2009181811.tif 000021
【図２０】
2009181811.tif 000022